【事件の表示】
　特願２００１−　９８７８２「通信装置およびコンピュータプログラム」拒絶査定不服審判事件〔平成１４年１０月１１日出願公開、特開２００２−３００３６８〕について、次のとおり審決する。
【結　論】
　本件審判の請求は、成り立たない。
【理　由】
第１　手続きの経緯
　本願は、平成１３年３月３０日の出願であって、平成１６年８月１２日に拒絶査定がなされ、これに対して同年９月２２日に拒絶査定不服審判の請求がなされるとともに、同年１０月１９日に手続補正がなされたものである。
 　  
第２　平成１６年１０月１９日付けの手続補正の補正の却下の決定について
［補正却下の決定の結論］ 
　平成１６年１０月１９日付けの手続補正を却下する。
［理由］ 
１．平成１６年１０月１９日付けの手続補正（以下、「本件補正」という。）により、特許請求の範囲は、
　「【請求項１】　表現形式の異なる複数の書画表現物を読み取り、これらの書画表現物を合成したイメージデータを生成して送信する通信装置であって、
　前記複数の書画表現物を各表現形式に応じたデータ形式で読み取ることを指示する読取指示手段と、
　前記複数の書画表現物を読み取って得られたイメージデータを記憶する記憶手段と、
　一方の表現形式の書画表現物のイメージデータから所定のサイズ以上の空白領域を特定する領域特定手段と、
　前記領域特定手段により特定された空白領域のサイズが他方の表現形式の書画表現物のイメージデータのサイズを超えているか否かを判別する判別手段と、
　前記空白領域のサイズが前記他方の表現形式の書画表現物のイメージデータのサイズを超えているとき、前記一方の表現形式の書画表現物のイメージデータの空白領域に前記他方の表現形式の書画表現物のイメージデータを組み込むように両イメージデータを合成する合成手段と、
　前記合成手段により合成されたイメージデータを送信する送信手段とを有し、
　前記合成手段は、一方の表現形式に対応するデータ形式と他方の表現形式に対応するデータ形式のうち、解像度の高いデータ形式でイメージデータの合成を行うことを特徴とする通信装置。
　　【請求項２】　合成後のイメージデータのページサイズを指定するサイズ指定手段を更に備え、
　前記合成手段は、前記一方の表現形式の書画表現物のイメージデータのサイズが前記サイズ指定手段で指定されたページサイズに満たないとき、この満たない部分の領域と前記一方の表現形式の書画表現物のイメージデータの空白領域とを前記ページサイズの空白領域とし、この空白領域に前記他方の表現形式の書画表現物のイメージデータを組み込むように両イメージデータを合成して前記ページサイズのイメージデータを作成することを特徴とする、請求項１に記載の通信装置。
　　【請求項３】　前記一方の表現形式の書画表現物のイメージデータは２値階調の白黒イメージデータであり、前記他方の表現形式の書画表現物のイメージデータは多値階調のカラーイメージデータであり、
　前記合成手段は、前記白黒イメージデータの空白領域に前記カラーイメージデータを組み込み、多値階調のカラーイメージデータからなる合成後のイメージデータを生成することを特徴とする、請求項１又は２に記載の通信装置。
　　【請求項４】　コンピュータを、表現形式の異なる複数の書画表現物を読み取り、これらの書画表現物を合成したイメージデータを生成して送信する通信装置として機能させるためのコンピュータプログラムであって、
　前記コンピュータを、
　前記複数の書画表現物を各表現形式に応じたデータ形式で読み取ることを指示する読取指示手段と、
　前記複数の書画表現物を読み取って得られたイメージデータを記憶する記憶手段と、
　一方の表現形式の書画表現物のイメージデータから所定のサイズ以上の空白領域を特定する領域特定手段と、
　前記領域特定手段により特定された空白領域のサイズが他方の表現形式の書画表現物のイメージデータのサイズを超えているか否かを判別する判別手段と、
　前記空白領域のサイズが前記他方の表現形式の書画表現物のイメージデータのサイズを超えているとき、前記一方の表現形式の書画表現物のイメージデータの空白領域に前記他方の表現形式の書画表現物のイメージデータを組み込むように両イメージデータを合成する合成手段と、
　前記合成手段により合成されたイメージデータを送信する送信手段と、して機能させ、
　前記合成手段は、一方の表現形式に対応するデータ形式と他方の表現形式に対応するデータ形式のうち、解像度の高いデータ形式でイメージデータの合成をコンピュータに行わせるコンピュータプログラム。」と補正がなされた。
　上記補正は、請求項１において、「合成手段」について、「合成手段は、一方の表現形式に対応するデータ形式と他方の表現形式に対応するデータ形式のうち、解像度の高いデータ形式でイメージデータの合成を行うこと」と限定したものであって、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか否か（平成１８年改正前特許法第１７条の２第５項において読み替えて準用する同法第１２６条第５項の規定に適合するか）について以下に検討する。
　
２．引用例
（１）原査定の拒絶の理由に引用された特開平９−９８２８０号公報（以下、「刊行物１」という。）には、
　ア　「【０００１】
【発明の属する技術分野】本発明は、ファクシミリ装置、及びファクシミリ伝送方法に関し、特に入力された画像データを一旦メモリに蓄積した後に送信するメモリ送信機能を有するファクシミリ装置、及びファクシミリ伝送方法に関する。
【０００２】
【従来の技術】従来、読取った画像データを一旦メモリに蓄積した後に送信するメモリ送信機能を有するファクシミリ装置が知られており、この種のファクシミリ装置では、メモリに蓄積した複数の原稿の画像データを送信する場合、各原稿の画像データの副走査方向の長さに関係なく、１枚の原稿から読取られた画像データを１ページ分の画像データとして送信していた。
【０００３】
【発明が解決しようとする課題】このため、たとえ原稿の副走査方向の長さが短くて読取ライン数が少なくても、１ページ分の画像データとして送信されることとなり、受信側では、例えば、記録紙（カット紙）の上部にのみ画像が記録されて下部には大きな余白が形成されてしまい、記録紙の無駄使いなるばかりでなく、受信した複数ページの画像データを記録する際に、余白部分の分だけ紙送りを余計に行う必要があり、記録の迅速性を損なう等の弊害が生じ、ランニングコストが高くなっていた。
【０００４】本発明は、このような背景の下になされたもので、その目的は、ランニングコストを低減可能な形式で画像データを送信し得るファクシミリ装置を提供することにある。
【０００５】
【課題を解決するための手段】上記目的を達成するため、請求項１記載のファクシミリ装置は、画像入力手段にて入力された複数ページの画像データについて、各ページ毎に入力ライン数を認識する第１の認識手段と、前記画像入力手段にて入力された複数ページの画像データを送信する際に、送信相手先端末の１ページ当たりの記録可能ライン数を認識する第２の認識手段と、前記第１の認識手段にて認識された入力ライン数が前記第２の認識手段にて認識された記録可能ライン数を越えない範囲内で連続する複数ページの画像データを主走査長を揃えて結合して１ページ分の画像データとして送信する送信制御手段とを備えている。」（３頁４欄３８行〜４頁５欄２９行）、
　イ　「【００３７】ＣＰＵ１は、ＲＯＭ２にプリセットされた各種プログラムに従って他の各構成要素を制御しながら、ＩＴＵ−Ｔ勧告のバイナリコード制御手順や、図３、図６に示したフローチャートに対応する各種処理を実行する。この際、ＣＰＵ１は、第１ＲＡＭ３をワークエリアとして利用する。なお、ＲＯＭ２には、後述する下余白画像データ、左右の余白画像データが各々複数ずつ格納されている。
【００３８】コンタクトセンサ９は、ＣＣＤ等の光電変換素子により構成され、読取制御ゲートアレイ１０の制御の下に光学的に読取った原稿画像を電気信号に変換して画像データとして出力する。読取制御ゲートアレイ１０は、コンタクトセンサ９にて読取られた画像データを圧縮符号化して、ＤＲＡＭ等で構成された画像メモリ１３に格納する。
【００３９】この際、画像メモリ１３に格納された画像データの管理情報として、受付番号、宛先情報、ページ数、格納画像メモリブロック情報、解像度、画像サイズ、各ページの読取ライン数等がＣＰＵ１の制御の下に第２ＲＡＭ４に格納される。なお、読取制御ゲートアレイ１０は、画像データを圧縮符号化する際に、上記読取ライン数を認識して出力する。
【００４０】画像メモリ１３に格納された画像データを送信する場合は、画像データは、ＣＰＵ１の制御の下に、符号化装置１６内の符号器により、送信先のファクシミリ装置のモードに合わせて符号化されて圧縮され、さらに変復調器１４により変調されて、ネットワーク制御装置１５を介して回線Ｎに出力される。なお、画像データを送信する場合は、その画像データの管理情報も一緒に送信すべく、当該管理情報が第２ＲＡＭ４から読出され、符号化装置１６内の多重化回路により画像データと多重化されて送信される。」（６頁９欄４７行〜１０欄２８行）、
　ウ　「【００４３】キーボード８には、図示省略したが、宛先情報（ＦＡＸ番号）等を入力するテンキー、ファイン，スーパーファイン等の解像度等を設定するキー、送信スタートを指示するスタートキー、送信原稿に送信済である旨の済マークをスタンプさせるための済マークキー、余白画像データを指定するための指定キー等の各種ファンクションキーが配設されており、これらキーの操作状況は、操作パネル制御ゲートアレイ６により検出され、対応する入力情報、設定情報、コマンド等がＣＰＵ１の制御の下に第３ＲＡＭ５に格納される。」（２頁右上欄１９行〜左下欄３行）、
　エ　「【００４５】上記の各構成要素の下で、本形態におけるファクシミリ装置は、図２に示したようなメモリ送信を行っている。すなわち、本形態では、読取った画像データを一旦画像メモリ１３に一旦蓄積して受付番号別に送信する場合、図２に示したように、受信側のファクシミリ装置の記録可能ライン数を越えない範囲内で連続する複数ページの画像データを結合して１ページ分の画像データとして送信する。
【００４６】この際、連続する複数ページの画像データの主走査長が異なる場合には、その主走査長を揃えるべく左右の余白画像データを付加すると共に、連続する複数ページの各画像データが記録紙（カット紙）上の等分された位置に記録されるように下余白画像データを付加して送信する。」（７頁１１欄７行〜２０行）、
　オ　「【００４９】ＣＰＵ１は、まず、バイナリコード制御手順に準拠した信号シーケンスの実行により送信相手先のファクシミリ装置から得られた該装置側の記録紙のサイズ、解像度能力を含むＤＩＳ信号（ディジタル初期識別信号）を考慮して、最大記録主走査長Ｗと記録可能ライン数Ｙを決定してセットする（図３のステップＳ３０１）。例えば、読取原稿幅がＡ４サイズ、受信機の記録紙幅および長さがＡ４サイズ、読取解像度が標準であるならば、Ａ４サイズの記録紙に標準解像度で記録できる最大記録主走査長Ｗとして“１７２８”をセットし、記録可能ライン数Ｙとして“１１４４”をセットする。
【００５０】次に、ページカウンタｉにページ番号として“１”を初期設定すると共に、当該受付番号に係る複数の画像データ中の１ページ目の画像データの主走査長Ｗ１にＷをセットする（ステップＳ３０２）。そして、画像メモリ１３の読取用バッファに蓄積されている画像データの中からページカウンタｉで示される番号（以下、ｉという）のページの画像データを読出して、送信用バッファ（画像メモリ１３内に形成されている）に蓄積する（ステップＳ３０３）。
【００５１】そして、次のページ、すなわち（ｉ＋１）ページ目の画像データが画像メモリ１３に蓄積されているか否かを判別する（ステップＳ３０４）。その結果、（ｉ＋１）ページ目の画像データが蓄積されていれば、ｉページ目の読取ライン数Ｘiと（ｉ＋１）ページ目の読取ライン数Ｘi+1の和（Ｘi＋Ｘi+1）が、記録可能ライン数Ｙ以下であり、かつｉページ目の読取ライン数Ｘi、（ｉ＋１）ページ目の読取ライン数Ｘi+1が共に記録可能ライン数Ｙの１／２以下であるか否かを判別する（ステップＳ３０５）。
【００５２】その結果、上記の条件を満足していれば、ｉページ目の画像データに対して、Ｙ／２−Ｘiライン分（すなわち記録紙の半分のライン数から当該画像データのライン数を減じたライン分）の下余白画像データの付加処理を行うと共に（ステップＳ３０６）、左右余白画像データの付加処理を行う（ステップＳ３０７）。そして、（ｉ＋１）ページ目の画像データを読出して、送信用バッファに蓄積する（ステップＳ３０８）。次に、ｉページ目と同様に、（ｉ＋１）ページ目の画像データに対して、Ｙ／２−Ｘi+1ライン分（すなわち記録紙の半分のライン数から当該画像データのライン数を減じたライン分）の下余白画像データの付加処理を行うと共に（ステップＳ３０９）、左右余白画像データの付加処理を行う（ステップＳ３１０）。なお、下余白画像データ付加処理、左右余白画像データ付加処理の詳細は、夫々、図４、図５のフローチャートに基づいて後で説明する。
【００５３】次に、送信用バッファ内の画像データ、すなわちｉページ目と（ｉ＋１）ページ目の画像データ（下余白画像データ、左右余白画像データを含む）を１ページ分の画像データとして送信する（ステップＳ３１１）。そして、ページカウンタｉを“２”だけインクリメントして（ステップＳ３１２）、ステップＳ３０３に戻る。
【００５４】ステップＳ３０５にて、上記の条件を満足していないと判別されたときは、ｉページ目の画像データに対して左右余白画像データの付加処理を行う（ステップＳ３１３）。次に、送信用バッファ内の画像データ、すなわちｉページ目の画像データ（左右余白画像データを含む）を従来通り１ページ分の画像データとして送信する（ステップＳ３１４）。そして、ページカウンタｉを“１”だけインクリメントして（ステップＳ３１５）、ステップＳ３０３に戻る。」（７頁１１欄２８行〜１２欄４０行）が記載されている。
　これらの記載ア〜オ及び図面図１〜５によれば、刊行物１には、
「複数ページの原稿を読み取り、複数ページ分の画像データを結合して１ページ分の画像データとして送信するファクシミリ装置であって、ＣＣＤ等の光電変換素子により構成され、読取制御ゲートアレイ１０の制御の下に光学的に読取った原稿画像を電気信号に変換して画像データとして出力するコンタクトセンサ９と、ファイン，スーパーファイン等の解像度等を設定するキーが配設されているキーボード８と、コンタクトセンサ９にて読取られた画像データを圧縮符号化して、ＤＲＡＭ等で構成された画像メモリ１３に格納する読取制御ゲートアレイ１０と、入力された複数ページの画像データについて、各ページ毎に入力ライン数を認識する第１の認識手段と、入力された複数ページの画像データを送信する際に、送信相手先端末の１ページ当たりの記録可能ライン数を認識する第２の認識手段と、前記第１の認識手段にて認識された入力ライン数が前記第２の認識手段にて認識された記録可能ライン数を越えない範囲内で連続する複数ページの画像データを主走査長を揃えて結合して１ページ分の画像データとする手段と、画像データを、ＣＰＵ１の制御の下に、符号化装置１６内の符号器により、送信先のファクシミリ装置のモードに合わせて符号化して圧縮し、さらに変復調器１４により変調して、ネットワーク制御装置１５を介して回線Ｎに出力する送信手段とを有するファクシミリ装置。」の発明（以下、「引用発明」という。）が記載されていると認める。
　
（２）原査定の拒絶の理由に引用された特開平１−２２１０６１号公報（以下、「刊行物２」という。）には、
　カ　「［従来の技術］
従来の画像処理装置、たとえばファクシミリ装置は、データ読取部で読取ったデータを公衆回線を介して相手ファクシミリ装置に送り、これによって、読取原稿を送信している。
［発明が解決しようとする課題］
上記従来装置において、読取原稿を２値データとして読取ると、文字フォント等は鮮明に読取ることができるが、写真原稿等の階調があるものは見えにくくなるという問題がある。
一方、上記読取原稿をディザによって多値データとして読取ると、階調のある写真等は鮮明に読取ることができるが、文字フォント等がぼけるという問題がある。
本発明は、文字フォントと階調がある写真画像とが混在した原稿を、上記文字フォント、階調のある写真画像ともに鮮明に読取り、送信することができる画像処理装置を提供することを目的とするものである。
［課題を解決する手段］
本発明は、送信原稿を２値データで読取るとともに多値データでも読取り、これら読取った２値データと多値データとを記憶し、レイアウト画像を表示し、このレイアウト画像に基づいて上記２値データと上記多値データとを合成するものである。
［作用］
本発明は、送信原稿を２値データで読取るとともに多値データでも読取り、これら読取った２値データと多値データとを記憶し、レイアウト画像を表示し、このレイアウト画像に基づいて上記２値データと上記多値データとを合成するので、文字フォントと階調がある写真画像とが混在した原稿を、上記文字フォント、階調のある写真画像ともに鮮明に読取り、送信することができる。」（１頁右下欄２行〜２頁左上欄１６行）が記載されている。
　
（３）原査定の拒絶の理由に引用された特開平９−１８１９０９号公報（以下、「刊行物３」という。）には、
　キ　「【００２３】要約すると、絵の部分は、中間調を表現できるカラー多値画像データとして扱い、文字の部分は、２値あるいは、４値程度の少ないデータとして扱い、画像伝送データ量を軽減する。」（３頁３欄５０行〜４欄３行）が記載されている。
　
３．対比
　そこで、本願補正発明と引用発明とを対比する。
　引用発明の「原稿」、「画像データ」、「結合」、「ファクシミリ装置」及び「画像メモリ１３」は、本願補正発明の「書画表現物」、「イメージデータ」、「合成」、「通信装置」及び「記憶手段」に相当する。
　引用発明は、種種の原稿を読み込むためファイン，スーパーファイン等の解像度等を設定するキーを有するファクシミリ装置であり、原稿を各表現形式に応じたデータ形式で読み取ることは普通のこと（刊行物２，刊行物３参照）であるから、引用発明は、表現形式の異なる複数の原稿を読み取るものであるといえ、原稿を各表現形式に応じたデータ形式で読み取ることを指示する読取指示手段を有しているといえる。
　引用発明は、入力された複数ページの画像データについて、各ページ毎に入力ライン数を認識する第１の認識手段と、入力された複数ページの画像データを送信する際に、送信相手先端末の１ページ当たりの記録可能ライン数を認識する第２の認識手段と、前記第１の認識手段にて認識された入力ライン数が前記第２の認識手段にて認識された記録可能ライン数を越えない範囲内で連続する複数ページの画像データを主走査長を揃えて結合して１ページ分の画像データとする手段を有し、他の画像データを一方の画像データの空白領域に組み込むものといえるものであって、該結合は合成のことといえることから、一方の原稿の画像データの空白領域に他方の原稿の画像データを組み込むように両画像データを合成する合成手段を有しているといえる。
　したがって、本願補正発明と引用発明は、「表現形式の異なる複数の書画表現物を読み取り、これらの書画表現物を合成したイメージデータを生成して送信する通信装置であって、前記複数の書画表現物を各表現形式に応じたデータ形式で読み取ることを指示する読取指示手段と、前記複数の書画表現物を読み取って得られたイメージデータを記憶する記憶手段と、一方の書画表現物のイメージデータの空白領域に他方の書画表現物のイメージデータを組み込むように両イメージデータを合成する合成手段と、前記合成手段により合成されたイメージデータを送信する送信手段とを有する通信装置」の点で一致し、以下の点で相違する。
　相違点１
　本願補正発明は「一方の表現形式の書画表現物のイメージデータから所定のサイズ以上の空白領域を特定する領域特定手段」と、「前記領域特定手段により特定された空白領域のサイズが他方の表現形式の書画表現物のイメージデータのサイズを超えているか否かを判別する判別手段」と「前記空白領域のサイズが前記他方の表現形式の書画表現物のイメージデータのサイズを超えているとき、前記一方の表現形式の書画表現物のイメージデータの空白領域に前記他方の表現形式の書画表現物のイメージデータを組み込むように両イメージデータを合成する合成手段」を有するのに対して、引用発明は、「入力された複数ページの画像データについて、各ページ毎に入力ライン数を認識する第１の認識手段」と、「入力された複数ページの画像データを送信する際に、送信相手先端末の１ページ当たりの記録可能ライン数を認識する第２の認識手段」と、「前記第１の認識手段にて認識された入力ライン数が前記第２の認識手段にて認識された記録可能ライン数を越えない範囲内で連続する複数ページの画像データを主走査長を揃えて結合して１ページ分の画像データとする手段」を有する点。
　相違点２
　本願補正発明は、「前記合成手段は、一方の表現形式に対応するデータ形式と他方の表現形式に対応するデータ形式のうち、解像度の高いデータ形式でイメージデータの合成を行う」のに対して、引用発明は、その点について記載がされていない点。
　
４．判断
　以下、相違点１、２について検討する。 
　相違点１について
　引用発明は、「入力された複数ページの画像データについて、各ページ毎に入力ライン数を認識する第１の認識手段」と、「入力された複数ページの画像データを送信する際に、送信相手先端末の１ページ当たりの記録可能ライン数を認識する第２の認識手段」と、「前記第１の認識手段にて認識された入力ライン数が前記第２の認識手段にて認識された記録可能ライン数を越えない範囲内で連続する複数ページの画像データを主走査長を揃えて結合して１ページ分の画像データとする手段」を有するものであるから、入力ライン数の総和を着目点に据えているといえ、送信相手先端末の１ページ当たりの記録可能ライン数という当初の空白領域を特定しておいて、入力ライン数の総和が、当初の空白領域を超えない範囲であるか否かを判別し、該超えない範囲内で画像データを合成するものであるといえる。
　引用発明と同一技術分野において、入力ライン数の総和が、当初の空白領域より短い（満たない）ことを合成の条件とすることは周知であり（特開２０００−３４１４９５号公報、特開平９−８３７７８号公報参照）、画像を合成する際、両画像の間に若干の空白領域を残すことも普通に行われていることである。
　また、引用発明と同一技術分野において、合成する第２の画像データのサイズを着目点に据え、第１の画像情報の空白領域のサイズを特定しておき、該空白領域のサイズと合成する第２の画像データのサイズの大小を判別し、画像データを合成することは周知な技術事項であり（例えば、特開平９−８３７７８号公報参照。）、該周知な技術事項は、引用発明とは着目点が相違するが、画像合成技術としては、同種のものといえる。
　画像データの合成において、表現形式の異なる画像データを合成することは一般的なことである（刊行物２，刊行物３参照）。
　そして、空白領域のサイズを特定するための手段、判別するためのの手段を各々「領域特定手段」、「判別手段」と称することは普通に行われていることである。
　してみると、引用発明において、上記周知な技術事項を採用して、一方の表現形式の書画表現物のイメージデータから所定のサイズ以上の空白領域を特定する領域特定手段」と、「前記領域特定手段により特定された空白領域のサイズが他方の表現形式の書画表現物のイメージデータのサイズを超えているか否かを判別する判別手段」と「前記空白領域のサイズが前記他方の表現形式の書画表現物のイメージデータのサイズを超えているとき、前記一方の表現形式の書画表現物のイメージデータの空白領域に前記他方の表現形式の書画表現物のイメージデータを組み込むように両イメージデータを合成する合成手段」を有することとすることは、当業者が容易に想到できたものである。
　相違点２について
　引用発明は、画像データを合成する技術分野に関するものであるが、該技術分野において、異なる表現形式に対応する画像データを合成の際、解像度の高いデータ形式に揃えることは周知な技術事項（例えば、特開平１１−１４６１８２号公報段落番号００２７参照）であり、また、引用発明において、該周知な技術事項を採用して、異なる表現形式に対応する画像データを合成の際、解像度の高いデータ形式に揃えることに、格別困難な事由は認められない。
　してみると、引用発明において、上記周知な技術事項を採用して、「合成手段は、一方の表現形式に対応するデータ形式と他方の表現形式に対応するデータ形式のうち、解像度の高いデータ形式でイメージデータの合成を行う」とすることは、当業者が容易になし得たことである。
　
　また、本願補正発明の奏する作用効果は、刊行物１に記載された発明及び上記周知技術の奏する作用効果から予測される範囲内のものにすぎず、格別なものということはできない。
 　 
　したがって、本願補正発明は、刊行物１に記載された発明及び上記周知技術に基づいて、当業者が容易に発明をすることができたものであるから、特許法第２９条第２項の規定により、特許出願の際独立して特許を受けることができないものである。
 　 
５．むすび
　以上のとおり、本件補正は、平成１８年改正前特許法第１７条の２第５項において読み替えて準用する同法第１２６条第５項の規定に違反するものであり、同法第１５９条第１項において読み替えて準用する同法第５３条第１項の規定により却下されるべきものである。
　  
第３　本願発明について
　平成１６年１０月２２日付けの手続補正は、上記のとおり却下されたので、本願の請求項１に係る発明（以下、「本願発明」という。）は、平成１５年１１月１７日付け手続補正書によって補正された明細書及び図面の記載からみて、その特許請求の範囲の請求項１に記載された事項により特定される、以下のとおりのものである。
「　【請求項１】
　表現形式の異なる複数の書画表現物を読み取り、これらの書画表現物を合成したイメージデータを生成して送信する通信装置であって、
　前記複数の書画表現物を各表現形式に応じたデータ形式で読み取ることを指示する読取指示手段と、
　前記複数の書画表現物を読み取って得られたイメージデータを記憶する記憶手段と、
　一方の表現形式の書画表現物のイメージデータから所定のサイズ以上の空白領域を特定する領域特定手段と、
　前記領域特定手段により特定された空白領域のサイズが他方の表現形式の書画表現物のイメージデータのサイズを超えているか否かを判別する判別手段と、
　前記空白領域のサイズが前記他方の表現形式の書画表現物のイメージデータのサイズを超えているとき、前記一方の表現形式の書画表現物のイメージデータの空白領域に前記他方の表現形式の書画表現物のイメージデータを組み込むように両イメージデータを合成する合成手段と、
　前記合成手段により合成されたイメージデータを送信する送信手段とを有することを特徴とする通信装置。」
１．引用例
　原査定の拒絶の理由に引用された刊行物１、２、３及びその記載事項は、前記「第２　２．」に記載したとおりである。
２．対比・判断
　本願発明は、前記「第２」で検討した本願補正発明から限定を省いたものである。
　そうすると、本願発明の発明特定事項を全て含み、さらに発明特定事項を限定したものに相当する本願補正発明が前記「第２　３．」、「第２　４．」に記載したとおり、刊行物１に記載された発明及び周知技術に基づいて、当業者が容易に発明をすることができたものであるから、本願発明も、同様の理由により、刊行物１に記載された発明及び周知技術に基づいて、当業者が容易に発明することができたものである。  
３．むすび
　以上のとおり、本願発明は、刊行物１に記載された発明及び周知技術に基づいて、当業者が容易に発明をすることができたものであるから、特許法第２９条第２項の規定により特許を受けることができない。
　したがって、本願は、他の請求項について検討するまでもなく、拒絶されるべきものである。 
　よって、結論のとおり審決する。